【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
演算処理システムであって、
通信ネットワークを介して複数の資産との通信を容易にするように構成されたネットワークインタフェースと、
少なくとも１つのプロセッサと、
非一時的コンピュータ可読媒体と、
前記非一時的コンピュータ可読媒体に格納されたプログラム命令であり、前記少なくとも１つのプロセッサによって実行可能で、前記演算処理システムに、
前記複数の資産のうちの少なくとも１つの所与の資産の動作に関連する予測モデルを中心的に定義することであり、前記所与の資産は、前記予測モデルの少なくとも一部をローカルに実行する機能を備えている、前記定義することと、
前記所与の資産に対する前記予測モデルを中心的に実行開始することと、
前記予測モデルの少なくとも一部を、ローカルに実行するために前記所与の資産へ伝送することと、
前記予測モデルを実行するための少なくとも幾つかの役割が前記所与の資産にシフトされるべきであるというインジケーションを検出することと、
検出された前記インジケーションに応答して、前記所与の資産に対する前記予測モデルの実行に関する前記演算処理システムの前記役割を修正することと、
修正された前記役割に従って操作することと、
を実行させる、前記プログラム命令と、
を備える演算処理システム。
【請求項２】
前記演算処理システムに前記インジケーションを検出させるよう実行可能な前記プログラム命令は、前記演算処理システムに、
前記資産に対するデータを受信することと、
受信された前記データに基づいて、前記所与の資産が、前記予測モデルの少なくとも一部をローカルに実行開始したことを検出することと、
をさせるよう実行可能なプログラム命令を含む、請求項１に記載の演算処理システム。
【請求項３】
前記演算処理システムに、前記所与の資産が、受信された前記データに基づいて前記予測モデルの少なくとも一部をローカルに実行開始したことを検出させるよう実行可能な前記プログラム命令は、前記演算処理システムに、（ａ）受信された前記データの種類、（ｂ）受信されたデータの量、（ｃ）受信された前記データが受信される頻度、（ｄ）受信された前記データの生成に寄与する１セットのセンサ、又は（ｅ）受信された前記データの前記生成に寄与する１セットのアクチュエータのうちの１又は複数における変化を検出させるよう実行可能なプログラム命令を含む、請求項２に記載の演算処理システム。
【請求項４】
前記演算処理システムに、前記インジケーションを検出させるよう実行可能な前記プログラム命令は、前記演算処理システムに、
前記所与の資産及び前記演算処理システムを通信可能に結合する前記通信ネットワークの特性における変化を検出させるよう実行可能なプログラム命令を含む、請求項１に記載の演算処理システム。
【請求項５】
前記通信ネットワークの前記特性は、信号強度である、請求項４に記載の演算処理システム。
【請求項６】
前記演算処理システムに、前記所与の資産に対する前記予測モデルの実行に関する前記演算処理システムの前記役割を修正させるよう実行可能な前記プログラム命令は、前記演算処理システムに、（ａ）前記所与の資産に対する前記予測モデルの一部のみを中心的に実行すること、又は（ｂ）前記所与の資産に対する前記予測モデルの中心的な実行を中止することのいずれかをさせるよう実行可能なプログラム命令を含む、請求項１から５のいずれか一項に記載の演算処理システム。
【請求項７】
演算処理システムに、
複数の資産のうちの少なくとも１つの所与の資産の動作に関連する予測モデルを中心的に定義する手順であり、前記所与の資産は、前記予測モデルの少なくとも一部をローカルに実行する機能を備えている、手順と、
前記所与の資産に対する前記予測モデルを中心的に実行開始する手順と、
前記予測モデルの少なくとも一部を、ローカルに実行するために前記所与の資産へ伝送する手順と、
前記予測モデルを実行するための少なくとも幾つかの役割が前記所与の資産にシフトされるべきであるというインジケーションを検出する手順と、
検出された前記インジケーションに応答して、前記所与の資産に対する前記予測モデルの実行に関する前記演算処理システムの前記役割を修正する手順と、
修正された前記役割に従って操作する手順と、
を実行させるプログラム。
【請求項８】
前記インジケーションを検出する前記手順は、
前記資産に対するデータを受信する手順と、
受信された前記データに基づいて、前記所与の資産が、前記予測モデルの少なくとも一部をローカルに実行開始したことを検出する手順と、
を含む、請求項７に記載のプログラム。
【請求項９】
前記所与の資産が前記予測モデルの少なくとも一部をローカルに実行開始したことを検出する前記手順は、（ａ）受信された前記データの種類、（ｂ）受信されたデータの量、（ｃ）受信された前記データが受信される頻度、（ｄ）受信された前記データの生成に寄与する１セットのセンサ、又は（ｅ）受信された前記データの前記生成に寄与する１セットのアクチュエータのうちの１又は複数における変化を検出する手順を含む、請求項８に記載のプログラム。
【請求項１０】
前記演算処理システム及び前記所与の資産は、通信ネットワークを介して通信可能に結合され、前記インジケーションを検出する前記手順は、前記通信ネットワークの特性における変化を検出する手順を含む、請求項７に記載のプログラム。
【請求項１１】
前記所与の資産に対する前記予測モデルの実行に関する前記演算処理システムの前記役割を修正する前記手順は、（ａ）前記所与の資産に対する前記予測モデルの一部のみを中心的に実行する手順、又は（ｂ）前記所与の資産に対する前記予測モデルの中心的な実行を中止する手順のいずれかを含む、請求項７から１０のいずれか一項に記載のプログラム。
【請求項１２】
演算処理システムにより、複数の資産のうちの少なくとも１つの所与の資産の動作に関連する予測モデルを中心的に定義する段階であり、前記所与の資産は、前記予測モデルの少なくとも一部をローカルに実行する機能を備えている、段階と、
前記所与の資産に対する前記予測モデルを中心的に実行開始する段階と、
前記演算処理システムにより、前記予測モデルの少なくとも一部を、ローカルに実行するために前記資産へ伝送する段階と、
前記演算処理システムにより、前記予測モデルを実行するための少なくとも幾つかの役割が前記所与の資産にシフトされるべきであるというインジケーションを検出する段階と、
検出された前記インジケーションに応答して、前記所与の資産に対する前記予測モデルの実行に関する前記演算処理システムの前記役割を修正する段階と、
修正された前記役割に従って動作する段階と、
を備えるコンピュータ実装方法。
【請求項１３】
前記インジケーションを検出する段階は、
前記資産に対するデータを受信する段階と、
受信された前記データに基づいて、前記所与の資産が、前記予測モデルの少なくとも一部をローカルに実行開始したことを検出する段階と、
を含む、請求項１２に記載のコンピュータ実装方法。
【請求項１４】
前記演算処理システム及び前記所与の資産は、通信ネットワークを介して通信可能に結合され、前記インジケーションを検出する段階は、
前記通信ネットワークの特性における変化を検出する段階を含む、請求項１２に記載のコンピュータ実装方法。
【請求項１５】
前記所与の資産に対する前記予測モデルの実行に関する前記演算処理システムの前記役割を修正する段階は、（ａ）前記所与の資産に対する前記予測モデルの一部のみを中心的に実行する段階、又は（ｂ）前記所与の資産に対する前記予測モデルの中心的な実行を中止する段階のいずれかを含む、請求項１２から１４のいずれか一項に記載のコンピュータ実装方法。
【請求項１６】
ローカル解析装置を資産に結合する資産インタフェースと、
前記ローカル解析装置と前記ローカル解析装置から離れて位置する演算処理システムとの間の通信を容易にするネットワークインタフェースと、
少なくとも１つのプロセッサと、
非一時的コンピュータ可読媒体と、
前記非一時的コンピュータ可読媒体に格納されたプログラム命令であり、前記少なくとも１つのプロセッサによって実行可能であり、前記ローカル解析装置に、
前記資産の動作に関連する予測モデルを識別することと、
前記ローカル解析装置又は前記演算処理システムが前記予測モデルに対する役割を実行すべきか否かを決定することと、
前記ローカル解析装置又は前記演算処理システムが前記予測モデルに対する役割を実行すべきか否かの前記決定に基づいて、（ａ）前記ローカル解析装置が前記予測モデルを実行すべきと決定される場合、前記資産インタフェースを介して受信される前記資産に対する動作データに基づく前記予測モデルをローカルに実行すること、又は（ｂ）前記ネットワークインタフェースを介して前記演算処理システムに、（ｉ）前記予測モデルを実行するための前記演算処理システムに対する命令及び（ｉｉ）前記資産インタフェースを介して受信する前記資産に対する動作データを伝送すること、のいずれかと、
を実行させる、前記プログラム命令と、
を備えるローカル解析装置。
【請求項１７】
識別された前記予測モデルは、第１の予測モデルであり、前記非一時的コンピュータ可読媒体上に格納された前記プログラム命令は、さらに、少なくとも１つのプロセッサにより実行可能で、前記ローカル解析装置に、
前記第１の予測モデルを識別する前に、前記ネットワークインタフェースを介して前記演算処理システムから、前記第１の予測モデルを含む複数の予測モデルを受信することであり、前記複数の予測モデルのそれぞれは、特定の故障が前記資産で今後の所与の期間内に生じる可能性に対応する、前記受信することをさせる、請求項１６に記載のローカル解析装置。
【請求項１８】
前記決定は、識別された前記予測モデルに対応する１又は複数の実行関数に基づいて作成される、請求項１６又は１７に記載のローカル解析装置。
【請求項１９】
前記１又は複数の実行関数は、前記ローカル解析装置に対する第１の実行スコア関数及び前記演算処理システムに対する第２の実行スコア関数を含み、前記ローカル解析装置又は前記演算処理システムが、前記予測モデルに対する役割を実行するべきか否かの前記決定は、前記ローカル解析装置に対する第１の実行スコア及び前記演算処理システムに対する第２の実行スコアに基づく、請求項１６から１８のいずれか一項に記載のローカル解析装置。
【請求項２０】
前記第１の実行スコアは、前記予測モデルを実行する前記ローカル解析装置に関連する第１の期待値を含み、前記第２の実行スコアは、前記予測モデルを実行する前記演算処理システムに関連する第２の期待値を含む、請求項１９に記載のローカル解析装置。
【請求項２１】
前記ローカル解析装置又は前記演算処理システムが前記予測モデルに対する役割を実行すべきか否かの前記決定は、
（ｉ）前記第１の実行スコアを決定するための前記第１の実行スコア関数、及び（ｉｉ）前記第２の実行スコアを決定するための前記第２の実行スコア関数を実行すること、
前記第１の実行スコア及び前記第２の実行スコアを比較すること、
前記比較に基づいて、前記ローカル解析装置が、前記予測モデルに対する役割を実行すべきと決定すること、
を含む、請求項１９または２０に記載のローカル解析装置。
【請求項２２】
前記ローカル解析装置が前記予測モデルに対する役割を実行すべきとの決定は、（ａ）前記第１の実行スコアが前記第２の実行スコアより大きい又は等しい場合、前記ローカル解析装置が前記予測モデルに対する役割を実行すべきとの決定、又は（ｂ）前記第１の実行スコアが前記第２の実行スコアより閾値よりも大きい場合、前記ローカル解析装置が前記予測モデルに対する役割を実行すべきとの決定の一方を含む、請求項２１に記載のローカル解析装置。
【請求項２３】
前記非一時的コンピュータ可読媒体に格納された前記プログラム命令は、さらに、前記少なくとも１つのプロセッサによって実行可能であり、前記ローカル解析装置に、
前記ローカル解析装置又は前記演算処理システムが前記予測モデルに対する役割を実行すべきか否かの前記決定をする前に、前記演算処理システムから、前記ネットワークインタフェースを介して、前記第１の実行スコア関数及び前記第２の実行スコア関数を受信させ、
前記第１の実行スコア関数及び前記第２の実行スコア関数は、識別された前記予測モデルに対応し、前記演算処理システムにより定義される、請求項１９から２２のいずれか一項に記載のローカル解析装置。
【請求項２４】
前記資産インタフェースを介して受信した前記資産に対する前記動作データは、（ｉ）前記資産の少なくとも１つのセンサ、（ｉｉ）前記資産の少なくとも１つのアクチュエータ、又は（ｉｉｉ）前記資産の少なくとも１つのセンサ及び前記資産の少なくとも１つのアクチュエータからの信号データを含む、請求項１６から２３のいずれか一項に記載のローカル解析装置。
【請求項２５】
前記非一時的コンピュータ可読媒体に格納された前記プログラム命令は、さらに、前記少なくとも１つのプロセッサによって実行可能であり、前記ローカル解析装置に、
前記ローカル解析装置又は前記演算処理システムが前記予測モデルに対する役割を実行すべきか否かの前記決定をする前に、１又は複数の動的要因に基づいて前記１又は複数の実行関数を修正させる、請求項１８から２３のいずれか一項に記載のローカル解析装置。
【請求項２６】
前記ローカル解析装置及び前記演算処理システムは、ワイドエリアネットワークを介して通信可能に結合され、前記１又は複数の動的要因は、（ｉ）前記１又は複数の実行関数の更新以降の時間、（ｉｉ）前記予測モデルの更新以降の時間、又は（ｉｉｉ）前記ワイドエリアネットワークの１又は複数のネットワーク状態、のうち少なくとも１つを含む、請求項２５に記載のローカル解析装置。
【請求項２７】
ローカル解析装置に、
前記ローカル解析装置が資産インタフェースを介して結合される資産の動作に関連する予測モデルを識別する手順と、
前記ローカル解析装置又は前記ローカル解析装置から離れて位置する演算処理システムが前記予測モデルに対する役割を実行すべきか否かを決定する手順と、
前記ローカル解析装置又は前記演算処理システムが前記予測モデルに対する役割を実行すべきか否かの前記決定に基づいて、（ａ）前記資産インタフェースを介して受信される前記資産に対する動作データに基づく前記予測モデルをローカルに実行する手順、又は（ｂ）前記演算処理システムに、データネットワークを介して、（ｉ）前記予測モデルを実行するための前記演算処理システムに対する命令及び（ｉｉ）前記資産インタフェースを介して前記ローカル解析装置により受信する前記資産に対する動作データを伝送する手順、のいずれかと、
を実行させるプログラム。
【請求項２８】
前記決定は、識別された前記予測モデルに対応する１又は複数の実行関数に基づいて作成される、請求項２７に記載のプログラム。
【請求項２９】
前記ローカル解析装置が前記予測モデルに対する役割を実行すべきか否かの前記決定は、
（ｉ）前記ローカル解析装置に対する第１の実行スコアを決定するための第１の実行スコア関数、及び（ｉｉ）前記演算処理システムに対する第２の実行スコアを決定するための第２の実行スコア関数を実行すること、
前記第１の実行スコア及び前記第２の実行スコアを比較すること、
前記比較に基づいて、前記ローカル解析装置が、前記予測モデルに対する役割を実行すべきと決定すること、
を含む、請求項２７又は２８に記載のプログラム。
【請求項３０】
前記ローカル解析装置が前記予測モデルに対する役割を実行すべきとの決定は、（ａ）前記第１の実行スコアが前記第２の実行スコアより大きい又は等しい場合、前記ローカル解析装置が前記予測モデルに対する役割を実行すべきとの決定、又は（ｂ）前記第１の実行スコアが前記第２の実行スコアより閾値よりも大きい場合、前記ローカル解析装置が前記予測モデルに対する役割を実行すべきとの決定の一方を含む、請求項２９に記載のプログラム。
【請求項３１】
前記ローカル解析装置に、さらに、
前記ローカル解析装置又は前記演算処理システムが前記予測モデルに対する役割を実行すべきか否かの前記決定をする前に、１又は複数の動的要因に基づいて前記１又は複数の実行関数を修正させる、請求項２８から３０のいずれか一項に記載のプログラム。
【請求項３２】
前記ローカル解析装置及び前記演算処理システムは、ワイドエリアネットワークを介して通信可能に結合され、前記１又は複数の動的要因は、（ｉ）前記１又は複数の実行関数の更新以降の時間、（ｉｉ）前記予測モデルの更新以降の時間、又は（ｉｉｉ）前記ワイドエリアネットワークの１又は複数のネットワーク状態、のうち少なくとも１つを含む、請求項３１に記載のプログラム。
【請求項３３】
資産インタフェースを介してローカル解析装置に結合する資産の動作に関連する予測モデルの実行を処理するための方法であって、
前記ローカル解析装置により、前記資産の動作に関連する予測モデルを識別する段階と、
前記ローカル解析装置又は前記ローカル解析装置から離れて位置する演算処理システムが前記予測モデルに対する役割を実行すべきか否かを決定する段階と、
前記ローカル解析装置又は前記演算処理システムが前記予測モデルに対する役割を実行すべきか否かの前記決定に基づいて、（ａ）前記ローカル解析装置により、前記ローカル解析装置の資産インタフェースを介して受信する前記資産に対する動作データに基づく前記予測モデルをローカルに実行する段階、又は前記ローカル解析装置により、前記演算処理システムにデータネットワークを介して、（ｉ）前記演算処理システムに対する前記予測モデルを実行するための命令及び（ｉｉ）前記資産インタフェースを介して受信する前記資産に対する動作データを伝送する段階と、
を備える方法。
【請求項３４】
前記決定は、識別された前記予測モデルに対応する１又は複数の実行関数に基づいて作成される、請求項３３に記載の方法。
【請求項３５】
前記ローカル解析装置又は前記演算処理システムが前記予測モデルに対する役割を実行すべきか否かの前記決定をする前に、１又は複数の動的要因に基づいて前記１又は複数の実行関数を修正する段階をさらに備える、請求項３４に記載の方法。
【請求項３６】
前記ローカル解析装置又は前記演算処理システムが前記予測モデルに対する役割を実行すべきか否かの前記決定は、
（ｉ）前記ローカル解析装置に対する第１の実行スコアを決定するための第１の実行スコア関数、及び（ｉｉ）前記演算処理システムに対する第２の実行スコアを決定するための第２の実行スコア関数を実行すること、
前記第１の実行スコア及び前記第２の実行スコアを比較すること、
前記比較に基づいて、前記ローカル解析装置が、前記予測モデルに対する役割を実行すべきと決定すること、
を含む、請求項３３から３５のいずれか一項に記載の方法。